(57)【要約】【課題】ミスト浴を受ける室内の温度状況を的確に検知して、ミストの温度を適切に制御することができる循環式温水ミスト浴装置を提供する。【解決手段】循環式温水ミスト浴装置１は、温水ミスト浴用袋体１０と、所定温度の温水ミストを発生させる温水ミスト発生部３０、及び温水ミストを温水ミスト浴用袋体１０内に向けて加圧して送り出す送風ファン４０を具備する温水ミスト放出装置２０と、を備え、送風ファン４０における吸込側部４２に形成される減圧領域Ｂに、当該減圧領域Ｂを流動する温水ミストの温度を測定する温度センサ部６１が配置されており、温水ミスト発生部３０は、温度センサ部６１が測定した温度データに基づいて、発生させる温水ミストの温度を制御する。【選択図】図１
2019076546.tif 000002
【特許請求の範囲】
【請求項１】
所定温度の温水ミストを放出する温水ミスト放出装置と、前記温水ミスト放出装置に接続される温水ミスト浴用袋体と、を備え、
前記温水ミスト放出装置が放出した温水ミストが前記温水ミスト浴用袋体内に導入されると共に前記温水ミスト放出装置と前記温水ミスト浴用袋体との間で温水ミストが循環する循環式温水ミスト浴装置であって、
前記温水ミスト放出装置は、
所定温度の温水ミストを発生させる温水ミスト発生部、及び前記温水ミスト発生部が発生させた温水ミストを前記温水ミスト浴用袋体内に向けて送り出す送風ファンを具備し、
前記温水ミストの循環経路において前記送風ファンの吸込側に形成される減圧領域に、当該減圧領域を流動する温水ミストの温度を測定する温度センサ部が配置されており、
前記温水ミスト発生部は、前記温度センサ部が測定した温度データに基づいて、発生させる温水ミストの温度を制御するものである
ことを特徴とする循環式温水ミスト浴装置。
【請求項２】
請求項１に記載の循環式温水ミスト浴装置に用いられる温水ミスト放出装置であって、
前記温度センサ部は、当該温水ミスト放出装置内における減圧領域に取り付けられており、前記温度センサ部が前記温水ミスト放出装置に取り付けられた状態で、前記温水ミスト浴用袋体が当該温水ミスト放出装置に対して取り外し可能であることを特徴とする温水ミスト放出装置。
【発明の詳細な説明】
【技術分野】
【０００１】
本発明は、ミストサウナや、高齢者あるいは病人等の手足のミスト浴などに使用される循環式温水ミスト浴装置、及び循環式温水ミスト浴装置に用いられる温水ミスト放出装置に関する。
【背景技術】
【０００２】
従来から、ミスト浴のための装置は種々提案されている。例えば特許文献１では、ミスト温度センサで検出した湯温が所定の目標値になるようミスト温度制御手段が設けられたミスト機能付貯湯式給湯器が開示されている。
【先行技術文献】
【特許文献】
【０００３】
【特許文献１】特開２００８−２８６４１８号公報
【発明の概要】
【発明が解決しようとする課題】
【０００４】
しかしながら、特許文献１に示すようなミスト機能付貯湯式給湯器にあっては、確かにミストの温度は調整可能とされるものの、散布されるミストの温度と、浴室内で使用者が体感するミストの温度との間に乖離があるという問題があった。特にかかる問題は、浴室が広くなるほどその空間における温度分布に偏りが生じやすくなり、浴室の室温の影響を受けてミストの温度が低下しやすくなることで顕在化する。
【０００５】
また、一般的にミスト浴を可能とする構成にあっては、ミストを生成する前の湯温を測定しているものの、かかる構成においても、使用者が体感するミストの温度と湯温とが異なってしまいやすいという問題がある。一方、ミスト浴のための空間温度を検知して、検知した空間温度に基づいてミストの温度を変化させる構成を採用したとしても、ミストの温度が変わるまでに時間がかかってしまい、快適なミスト浴の環境を継続して維持させるには依然として課題があった。
【０００６】
そこで本発明は、ミスト浴を受ける空間の温度状況を的確に検知して、これによりミストの温度を適切に制御することができる循環式温水ミスト浴装置、及び循環式温水ミスト浴装置に用いられる温水ミスト放出装置を提供することを目的とする。
【課題を解決するための手段】
【０００７】
本発明は、所定温度の温水ミストを放出する温水ミスト放出装置と、前記温水ミスト放出装置に接続される温水ミスト浴用袋体と、を備え、前記温水ミスト放出装置が放出した温水ミストが前記温水ミスト浴用袋体内に導入されると共に前記温水ミスト放出装置と前記温水ミスト浴用袋体との間で温水ミストが循環する循環式温水ミスト浴装置であって、前記温水ミスト放出装置は、所定温度の温水ミストを発生させる温水ミスト発生部、及び前記温水ミスト発生部が発生させた温水ミストを前記温水ミスト浴用袋体内に向けて送り出す送風ファンを具備し、前記温水ミストの循環経路において前記送風ファンの吸込側に形成される減圧領域に、当該減圧領域を流動する温水ミストの温度を測定する温度センサ部が配置されており、前記温水ミスト発生部は、前記温度センサ部が測定した温度データに基づいて、発生させる温水ミストの温度を制御するものであることを特徴とする循環式温水ミスト浴装置である。
【０００８】
ここで、温水ミストの循環経路において温水ミスト浴用袋体内に導入された直後の温水ミストは、温水ミスト発生部から発生した直後の温水ミストが多く含まれるため、温水ミスト発生部で管理されているミスト温度に対して著しい温度低下は生じていない。一方、温水ミスト浴用袋体から温水ミスト放出装置に回収される際の温水ミストの温度は、外部環境や温水ミスト浴用袋体内の室温の影響によって温度低下が生じており、使用者の体感温度と温水ミスト発生部で管理されているミスト温度との間で乖離が生じやすい。
【０００９】
そこでかかる構成にあっては、使用者の体感温度を温水ミスト発生部で管理するミスト温度に的確に反映させるべく、前記送風ファンの吸込側に形成される減圧領域に、当該減圧領域を流動する温水ミストの温度を測定する温度センサ部を配置している。これにより、使用者が体感する温水ミスト浴用袋体内の温度を精度良く測定することが可能となり、新たに発生させる温水ミストのミスト温度を適正に反映させることができる。このため、温水ミスト浴用袋体内の温度を所望の温度に継続して維持することができ、快適なミスト浴の提供が可能となる。
【００１０】
また、本発明は、上記の循環式温水ミスト浴装置に用いられる温水ミスト放出装置であって、前記温度センサ部は、当該温水ミスト放出装置内における減圧領域に取り付けられており、前記温度センサ部が前記温水ミスト放出装置に取り付けられた状態で、前記温水ミスト浴用袋体が当該温水ミスト放出装置に対して取り外し可能であることを特徴とする温水ミスト放出装置である。
【００１１】
かかる構成とすることにより、温水ミスト浴用袋体を清掃や交換等する際に、温度センサ部を温水ミスト放出装置に取り付けたまま当該温水ミスト浴用袋体を温水ミスト放出装置から取り外すことができる。
【発明の効果】
【００１２】
本発明の循環式温水ミスト浴装置は、ミスト浴を受ける空間の温度状況を的確に検知して、温水ミストの温度を継続的に制御することができる効果がある。
【００１３】
また、本発明の温水ミスト放出装置は、メンテナンス作業が行いやすいという優れた効果がある。
【図面の簡単な説明】
【００１４】
【図１】実施例にかかる循環式温水ミスト浴装置の概要を示す説明図である。
【図２】（ａ）は実施例にかかる温水ミスト放出装置の概要を示す説明図であり、（ｂ）は実施例にかかる温水ミスト浴用袋体の概要を示す説明図である。
【図３】実施例にかかる温度制御装置のブロック回路図である。
【図４】他の実施例にかかる循環式温水ミスト浴装置を拡大して示す説明図である。
【発明を実施するための形態】
【００１５】
本発明の循環式温水ミスト浴装置、及び温水ミスト放出装置を具体化した実施例を詳細に説明する。なお、本発明は、下記に示す実施例に限定されることはなく、適宜設計変更が可能である。
【００１６】
図１に示すように、循環式温水ミスト浴装置１は、温水ミスト浴用袋体１０と、温水ミスト浴用袋体１０に温水ミストを供給するための温水ミスト放出装置２０と、を備えている。なお、温水ミスト浴用袋体１０及び温水ミスト放出装置２０は、それぞれ別体として相互に脱着自在に構成されている。
【００１７】
まず、温水ミスト浴用袋体１０について説明する。
図２（ｂ）に示すように、温水ミスト浴用袋体１０は、使用者の身体の一部が挿入される内部空間を有した袋体で構成されており、当該使用者の身体の一部を挿入するための身体挿入口部１１が設けられている。加えて、温水ミスト浴用袋体１０は、温水ミストを外部から導入するための袋体側温水ミスト供給口部１２と、温水ミストを外部へ排出するための袋体側温水ミスト排出口部１３と、を備えている。
【００１８】
なお、温水ミスト浴用袋体１０は、公知の材料で構成することが可能であり、特に断熱性能に優れたシート材料を使用することが好ましい。また、温水ミスト浴用袋体１０は、単層構造である必要はなく、断熱性能やメンテナンス容易性を向上させるべく、適宜、複層構造が採用されても勿論よい。また、温水ミスト浴用袋体１０は、可撓性のシート材料で構成して持ち運びやメンテナンスを容易とする構成としても勿論よい。
【００１９】
次に、温水ミスト放出装置２０について説明する。
図２（ａ）に示すように、温水ミスト放出装置２０は、温水ミストを放出するための装置側温水ミスト供給口部５２と、温水ミスト浴用袋体１０内の温水ミストを回収する装置側温水ミスト回収口部５４とを有している。
【００２０】
また、温水ミスト放出装置２０内には、所定温度の温水ミストを発生させる温水ミスト発生部３０が備えられている。温水ミスト発生部３０は、サイフォン方式が採用されており、図示しない水タンクから供給された水を所定温度に温めるヒーター部３１と、ヒーター部３１によって温められた温水を吐出する温水吐出部３２と、を少なくとも有している。
【００２１】
また、温水吐出部３２から吐出した温水は、上下方向の回転軸を中心に高速回転する回転体３３上に滴下される。なお、回転体３３の下部には、駆動モーター部３４が接続されており、所望の回転速度で回転体３３が回転可能となっている。なお、回転体３３に滴下されて回転体３３に衝突した温水は、回転体３３の遠心力によって飛散してミスト化され、回転体３３の上方へ浮遊する。ここで、回転体３３は、羽根が複数設けられた公知の水車構造が採用可能である。
【００２２】
また、温水ミスト放出装置２０は、送風ファン４０を備えている。具体的に送風ファン４０は、上述の温水ミスト発生部３０が発生させた温水ミストを温水ミスト浴用袋体１０に向けて加圧して送り出す機能を有しており、加圧される側に配された送出側部４１と、減圧される側に配された吸込側部４２とを有している。
【００２３】
そして、温水ミスト放出装置２０内には、装置側温水ミスト回収口部５４を上流端とし、装置側温水ミスト供給口部５２を下流端とする温水ミスト案内経路５０が形成されている。さらに、かかる温水ミスト案内経路５０は、送風ファン４０の送風機能によって加圧される温水ミスト加圧経路５１と、送風ファン４０の吸い込み機能によって減圧される温水ミスト減圧経路５３と、が形成されており、装置側温水ミスト供給口部５２に向かって一方向流で温水ミストが流動する。
【００２４】
また、図３に示すように、温水ミスト放出装置２０は、例えばＣＰＵ（中央制御装置）を備えた制御部６２を具備している。また、制御部６２は、後述する温度センサ部６１と、上述のヒーター部３１とが接続されて制御回路が構成されている。そして、温度センサ部６１にて計測された温度に応じて、温水吐出部３２から吐出する温水量が制御されて温水ミストの温度が制御可能となっている。
【００２５】
そして、図１に示すように、循環式温水ミスト浴装置１を使用する際には、温水ミスト放出装置２０の装置側温水ミスト供給口部５２に温水ミスト浴用袋体１０の袋体側温水ミスト供給口部１２が接続されると共に、温水ミスト放出装置２０の装置側温水ミスト回収口部５４に温水ミスト浴用袋体１０の袋体側温水ミスト排出口部１３が接続される。なお、各口部１２，１３，５２，５４を接続するには、図１に示すように、嵌合させた各口部１２，１３，５２，５４の外周に結束バンドＸを巻回して脱着可能に相互を固定することが好ましい。
【００２６】
そして、このような接続状態で、温水ミスト加圧経路５１にあっては、温水ミスト発生部３０によって発生した温水ミストが、装置側温水ミスト供給口部５２から袋体側温水ミスト供給口部１２を介して温水ミスト浴用袋体１０内に導入される。
【００２７】
一方、温水ミスト減圧経路５３にあっては、温水ミスト浴用袋体１０内の温水ミストが、袋体側温水ミスト排出口部１３を介して装置側温水ミスト回収口部５４から回収される。
【００２８】
かかる構成によって、循環式温水ミスト浴装置１における温水ミスト（温水ミストを含む空気）は、温水ミスト放出装置２０と温水ミスト浴用袋体１０との間で循環することになる。なお、循環式温水ミスト浴装置１全体における温水ミストの循環経路は、上述のように送風ファン４０を設けることにより、温水ミスト加圧経路５１を含む加圧領域Ａと、温水ミスト減圧経路５３を含み、かつ加圧領域Ａに対して相対的に減圧された減圧領域Ｂとに区画されることとなる。
【００２９】
次に、本発明の要部について説明する。
【００３０】
上述した温度センサ部６１は、温水ミスト放出装置２０における温水ミスト減圧経路５３の内壁に取り付けられており、温水ミスト減圧経路５３内を流動する温水ミストの温度を計測することが可能となっている。
【００３１】
そして、温度センサ部６１によって計測された温度データは、制御部６２に出力されると共に、制御部６２は、温度センサ部６１によって計測された温度に応じてヒーター部３１の加熱機能を予め定められたプログラムに基づいて制御する。例えば、温度センサ部６１によって計測された温度データに基づいて、０．５度刻みでヒーター部３１を制御する構成が採用可能である。なお、上述のように温水ミスト発生部３０はサイフォン方式が採用されており、温度センサ部６１にて計測された温度に応じて温水吐出部３２から吐出する温水量を制御する温度センサ部６１、制御部６２、及びヒーター部３１によって、温度制御装置６５が構成される。
【００３２】
ここで、温度センサ部６１が計測する温水ミストの温度は、温水ミスト浴用袋体１０内を通過した直後の温度であり、温水ミスト浴用袋体１０内の温水ミストの温度を極めて的確に示す情報となっている。このため、かかる情報に基づいてヒーター部３１を制御することにより、使用者にとって快適な温水ミストの温度を時間差なく発生させることが可能となり、これによって快適なミスト環境を継続的に維持することが可能となる。
【００３３】
ここで、仮に温度センサ６１が加圧領域Ａの温水ミスト加圧経路５１内に設置されていた場合には、温水ミスト浴用袋体１０内で使用者が体感している温度を温水ミスト発生部３０に適切に反映させることができず、適切な温度管理が困難となってしまう。
【００３４】
また、本実施例の温度センサ部６１は、温水ミスト放出装置２０内に取り付けられているため、例えば温水ミスト浴用袋体１０を清掃する際に、温度センサ部６１を温水ミスト放出装置２０に取り付けたまま当該温水ミスト浴用袋体１０を取り外すことができる。
【００３５】
上記した実施例においては、各部の寸法形状は適宜自由に選択可能である。
【００３６】
また、循環式温水ミスト浴装置１において、例えば袋体側温水ミスト供給口部１２と装置側温水ミスト供給口部５２、並びに、袋体側温水ミスト排出口部１３と装置側温水ミスト回収口部５４は、適宜、複数個設けられていても構わない。
【００３７】
また、温度センサ部６１も、単数である必要はなく、適宜、複数個設けられていてもよい。このように複数個設けられた構成として複数の温度データを取得することにより、温水ミスト浴用袋体１０内の温度分布を的確に反映させた温度制御が可能となる。
【００３８】
また、例えば温水ミスト浴用袋体１０内における温水ミストの濃度を測定するセンサを別途設けて、制御部６２によってミスト発生部３０に供給する温水量を制御するようにしても構わない。
【００３９】
また、温水ミスト放出装置２０は、温度センサ部６１にて計測された温度に応じてヒーター部３１の加温機能を制御し、所定温度に制御された温水を温水吐出部３２から吐出するようにして温水ミストの温度を制御するようにしてもよい。さらに、温水ミスト放出装置２０は、温度センサ部６１にて計測された温度に応じて、温水吐出部３２から吐出する温水の温度と量をともに調節することにより、温水ミストの温度を制御するようにしてもよい。このように、温水量の増減だけでなく温水の温度昇降を併用して制御する構成とすることにより、より一層精度良く温水ミストの温度を制御することが可能となる。
【００４０】
また、温水の吐出量を制御する構成は他の構成であってもよい。例えば、汲み上げポンプを採用し、当該汲み上げポンプが汲み上げる際の汲み上げ量を増減させて温水の吐出量を制御することができる。
【００４１】
また、図４に示すように、温水ミスト浴用袋体１０内に、減圧領域Ｂを流動する温水ミストの温度を測定する温度センサ部７３を配置する構成としてもよい。かかる構成としても、温水ミスト浴用袋体１０内の温度環境を適切にヒーター部３１に反映させることが可能となる。
【符号の説明】
【００４２】
１                循環式温水ミスト浴装置
１０              温水ミスト浴用袋体
２０              温水ミスト放出装置
３０              温水ミスト発生部
４０              送風ファン
６１，７３        温度センサ部
Ｂ                減圧領域
【図１】
2019076546.tif 000003
【図２】
2019076546.tif 000004
【図３】
2019076546.tif 000005
【図４】
2019076546.tif 000006